(57)【要約】【課題】通信サービス用アンテナの干渉を最小化させるアンテナアセンブリー、つまり通信サービス用中継器などに用いられる各アンテナで相互間の信号干渉となるサイドローブ及びバックローブを最小化させるのに適したアンテナアセンブリーを提供する。【解決手段】アンテナアセンブリーは、少なくとも一つ以上の反射板をもつリフレクター（３０）を含み、該反射板は底壁部及び側壁を有する。側壁は、電波輻射機（２０）の電波放射方向に対して底壁部の周縁から傾斜して延長され、底壁部は、電波放射方向に対して後方に位置するハウジング（１０）の一側面に付着される。【選択図】図２Ａ
2008529400.tif 000002
【特許請求の範囲】
【請求項１】
電波を輻射または吸収する電波輻射機と、
前記電波輻射機の電波放射方向に対して後方に位置するハウジングの一側面に付着される底壁部及び該底壁部の辺に沿って前記電波輻射機の電波放射方向に対して傾斜して延長される側壁を有する少なくとも一つ以上の反射板を含むリフレクターと、から構成されることを特徴とするアンテナアセンブリー。
【請求項２】
前記ハウジングは、電気的に接地されることを特徴とする請求項１に記載のアンテナアセンブリー。
【請求項３】
前記底壁部の中央には、ホールが形成されることを特徴とする請求項１に記載のアンテナアセンブリー。
【請求項４】
前記電波輻射機は、前記ホールの中央に設けられ、前記ホールの外郭から所定距離だけ離隔して形成されることを特徴とする請求項３に記載のアンテナアセンブリー。
【請求項５】
前記反射板は、二層に積層されることを特徴とする請求項１に記載のアンテナアセンブリー。
【請求項６】
積層される第１反射板の底壁部が第２反射板の底壁部に付着され、前記第１反射板の底壁部及び前記第２反射板の底壁部のうち下側に形成される所定の底壁部が前記ハウジングの一側面に付着されることを特徴とする請求項５に記載のアンテナアセンブリー。
【請求項７】
積層される第１反射板の側壁と第２反射板の側壁は、所定距離だけ離隔して形成されることを特徴とする請求項６に記載のアンテナアセンブリー。
【請求項８】
前記第１反射板の側壁と前記第２反射板の側壁との離隔距離は、前記底壁部から延長される方向への前記反射板の側壁長より短いことを特徴とする請求項７に記載のアンテナアセンブリー。
【請求項９】
前記第１反射板の側壁と前記第２反射板の側壁との離隔距離は、λ／４未満であることを特徴とする請求項７に記載のアンテナアセンブリー。
【請求項１０】
前記第１反射板の底壁部及び第２反射板の底壁部のうち下側に形成される所定の底壁部は、上部に形成される所定の底壁部の辺から前記第１反射板の側壁と前記第２反射板の側壁との離隔距離だけさらに延長されることを特徴とする請求項７に記載のアンテナアセンブリー。
【請求項１１】
前記底壁部から延長される方向への前記第１反射板及び前記第２反射板の側壁長は、前記第１反射板の側壁と前記第２反射板の側壁との離隔距離よりも長いことを特徴とする請求項７に記載のアンテナアセンブリー。
【請求項１２】
前記底壁部から延長される方向への前記第１反射板及び前記第２反射板の側壁長は、λ／４であることを特徴とする請求項７に記載のアンテナアセンブリー。
【請求項１３】
前記底壁部から延長される方向への前記第１反射板及び前記第２反射板の側壁長は、（λ／４±λ／８）であることを特徴とする請求項７に記載のアンテナアセンブリー。
【請求項１４】
前記反射板の側壁は、放射状に傾斜して延長されることを特徴とする請求項１に記載のアンテナアセンブリー。
【請求項１５】
前記反射板の側壁は、前記底壁部に対して鋭角に傾斜して延長されることを特徴とする請求項１に記載のアンテナアセンブリー。
【請求項１６】
前記鋭角は、４５°であることを特徴とする請求項１５に記載のアンテナアセンブリー。
【請求項１７】
前記反射板は、少なくとも二層に積層されることを特徴とする請求項１に記載のアンテナアセンブリー。
【請求項１８】
前記底壁部は、多角形状であることを特徴とする請求項１に記載のアンテナアセンブリー。
【請求項１９】
前記底壁部は、四角形状であることを特徴とする請求項１８に記載のアンテナアセンブリー。
【請求項２０】
前記側壁は、前記底壁部の各辺から同一長さをもって傾斜して延長される第１側壁部と、前記第１側壁部のうち隣接する各側壁部の間を連結する第２側壁部と、から構成されることを特徴とする請求項１９に記載のアンテナアセンブリー。
【請求項２１】
前記底壁部は、円形状であることを特徴とする請求項１に記載のアンテナアセンブリー。
【請求項２２】
前記側壁は、前記底壁部の辺から同一長さをもって傾斜して延長されることを特徴とする請求項２１に記載のアンテナアセンブリー。
【請求項２３】
前記反射板は、伝導体で形成されることを特徴とする請求項１に記載のアンテナアセンブリー。
【請求項２４】
電波を輻射または吸収する電波輻射機と、
前記電波輻射機の電波放射方向に対して後方に位置したハウジングの一側面に付着される底壁部及び該底壁部の辺に沿って前記電波輻射機の電波放射方向に対して傾斜して延長される第１側壁及び該第１側壁と平行に前記底壁部から傾斜して延長される第２側壁とからなる反射板を含むリフレクターと、から構成されることを特徴とするアンテナアセンブリー。
【請求項２５】
前記反射板の底壁部の中央には、ホールが形成されることを特徴とする請求項２４に記載のアンテナアセンブリー。
【請求項２６】
前記電波輻射機は、前記ホールの中央に形成され、前記ホールの外郭から所定距離だけ離隔して形成されることを特徴とする請求項２５に記載のアンテナアセンブリー。
【請求項２７】
前記第１側壁と前記第２側壁は、所定距離だけ離隔して形成されることを特徴とする請求項２４に記載のアンテナアセンブリー。
【請求項２８】
前記第１側壁と前記第２側壁との離隔距離は、前記底壁部から延長される方向への前記反射板の側壁の長さより短いことを特徴とする請求項２７に記載のアンテナアセンブリー。
【請求項２９】
前記第１側壁と前記第２側壁との離隔距離は、λ／４未満であることを特徴とする請求項２７に記載のアンテナアセンブリー。
【請求項３０】
前記底壁部から延長される方向への前記第１側壁の長さは、前記第１側壁と前記第２側壁との離隔距離より長いことを特徴とする請求項２７に記載のアンテナアセンブリー。
【請求項３１】
前記底壁部から延長される方向への前記第１側壁の長さは、λ／４であることを特徴とする請求項３０に記載のアンテナアセンブリー。
【請求項３２】
前記底壁部から延長される方向への前記第１側壁の長さは、（λ／４±λ／８）であることを特徴とする請求項３０に記載のアンテナアセンブリー。
【請求項３３】
前記底壁部から延長される方向への前記第２側壁の長さは、前記第１側壁と前記第２側壁との離隔距離より長いことを特徴とする請求項２７に記載のアンテナアセンブリー。
【請求項３４】
前記底壁部から延長される方向への前記第２側壁の長さは、λ／４であることを特徴とする請求項３３に記載のアンテナアセンブリー。
【請求項３５】
前記底壁部から延長される方向への前記第２側壁の長さは、（λ／４±λ／８）であることを特徴とする請求項３３に記載のアンテナアセンブリー。
【請求項３６】
前記反射板の各側壁は、放射状に傾斜して延長されることを特徴とする請求項２４に記載のアンテナアセンブリー。
【請求項３７】
前記反射板の各側壁は、前記底壁部に対して鋭角に傾斜して延長されることを特徴とする請求項２４に記載のアンテナアセンブリー。
【請求項３８】
前記鋭角は、４５°であることを特徴とする請求項３７に記載のアンテナアセンブリー。
【請求項３９】
前記第１側壁または前記第２側壁は、前記底壁部の各辺から同一の長さをもって傾斜して延長される第１側壁部と、前記第１側壁部のうち隣接する各側壁部の間を連結する第２側壁部と、から構成されることを特徴とする請求項２４に記載のアンテナアセンブリー。
【請求項４０】
前記ハウジングは、電気的に接地されることを特徴とする請求項２４に記載のアンテナアセンブリー。
【請求項４１】
電波を輻射または吸収する電波輻射機と、
前記電波輻射機の電波放射方向に対して後方に位置するとともに、電気的に接地されたハウジングの一側面に底壁部が付着される凹状の反射板を含むリフレクターと、から構成されるアンテナアセンブリー。
【請求項４２】
前記反射板は、前記底壁部の辺から一定の長さで傾斜して延長される側壁部を有することを特徴とする請求項４１に記載のアンテナアセンブリー。
【請求項４３】
前記反射板は、前記底壁部の辺から一定の長さをもって傾斜して延長される第１側壁部と、前記第１側壁部のうち隣接する各側壁部の間を連結する第２側壁部と、から構成されることを特徴とする請求項４１に記載のアンテナアセンブリー。
【発明の詳細な説明】
【技術分野】
【０００１】
本発明は、アンテナアセンブリーに関するものであり、特に、通信サービス用アンテナの干渉を最小化することができるアンテナアセンブリーに関するものである。
【背景技術】
【０００２】
一般的に、移動通信サービス用中継器は、受信アンテナ（ドナーアンテナ）及び送信アンテナ（カバレッジアンテナ）によって構成される。
【０００３】
これら各アンテナは、電波輻射機及び反射板を含んで構成される。
【０００４】
電波輻射機は、通信サービス区域内の加入者端末機から電波を輻射し、または、通信サービス区域内の加入者端末機から電波を吸収する。
【０００５】
反射板は、電波輻射機の後方に付着されるもので、その電波輻射機から輻射された電波を加入者端末機に反射し、または、その加入者端末機から吸収された電波を反射する。
【０００６】
一方、上記のように構成された従来の移動通信サービス用中継器のアンテナは、反射板の端面から発生する散乱波によって、図１に示すように、前後方比（ｆｒｏｎｔ  ｔｏ  ｂａｃｋ  ｒａｔｉｏ：ＦＴＢＲ）及び前側方比（ｆｒｏｎｔ  ｔｏ  ｓｉｄｅ  ｒａｔｉｏ：ＦＴＳＲ）特性を有する輻射パターンを示す。前記前後方比（ＦＴＢＲ）特性を有する輻射パターンがバックローブ（ｂａｃｋ−ｌｏｂｅｓ）であり、前側方比（ＦＴＳＲ）特性を有する輻射パターンがサイドローブ（ｓｉｄｅ―ｌｏｂｅｓ）である。
【０００７】
そのため、従来の中継器の受信アンテナ及び送信アンテナは、側方または後方に大量の電波を輻射するようになり、結果として相互間に信号干渉が発生する。
【０００８】
したがって、受信アンテナと送信アンテナとの間の信号干渉を抑制するために、二つのアンテナの間に充分な分離度を確保すべきであった。このような充分な分離度を確保するために、従来の移動通信サービス用中継器では、受信アンテナと送信アンテナを互いに正反対の方向（１８０°互いに異なる方向）に位置させた。そして、受信アンテナと送信アンテナとの間に任意の障害物を置くか、または、受信アンテナと送信アンテナとを充分な距離をもって離隔させて受信アンテナと送信アンテナを設置した。すなわち、従来の中継器では、相互間の信号干渉を考慮すべきであったので、受信アンテナと送信アンテナの設置が容易でなかった。
【発明の開示】
【発明が解決しようとする課題】
【０００９】
本発明は、上記のような従来の問題点を解決するためになされたものであり、その目的は、通信サービス用中継器などに用いられる各アンテナで相互間の信号干渉となるサイドローブ及びバックローブを最小化させるのに適したアンテナアセンブリーを提供することにある。
【００１０】
本発明の他の目的は、前後方比（ＦＴＢＲ）特性を有する輻射パターンであるバックローブを最小化させる構造の反射板を用いるアンテナアセンブリーを提供することにある。
【課題を解決するための手段】
【００１１】
上記の目的を達成するための本発明に係るアンテナアセンブリーの第１の特徴は、電波を輻射または吸収する電波輻射機と、該電波輻射機の電波放射方向に対して後方に位置するハウジングの一側面に付着される底壁部及び該底壁部の辺に沿って前記電波輻射機の電波放射方向に対して傾斜して延長される側壁を有する少なくとも一つ以上の反射板を含むリフレクターと、から構成されることにある。
【００１２】
前記ハウジングは、電気的に接地されることが好ましい。
【００１３】
また、前記底壁部の中央にホールが形成され、前記電波輻射機は、前記ホールの中央に設けられ、前記ホールの外郭から所定距離だけ離隔して形成されることが好ましい。
【００１４】
また、前記反射板は二層に積層されるが、この積層される第１反射板の底壁部が第２反射板の底壁部に付着され、前記第１反射板の底壁部及び第２反射板の底壁部のうち下側に形成される所定の底壁部が前記ハウジングの一側面に付着されることが好ましい。ここで、前記積層される第１反射板の側壁と第２反射板の側壁が所定距離だけ離隔して形成されるが、前記第１反射板の側壁と前記第２反射板の側壁との離隔距離は、前記底壁部から延長される方向への前記反射板の側壁の長さより短い。また、前記第１反射板の側壁と前記第２反射板の側壁との離隔距離は、λ／４未満である。一方、前記第１反射板の底壁部及び第２反射板の底壁部のうち下側に形成される所定の底壁部は、上部に形成される所定の底壁部の辺から前記第１反射板の側壁と前記第２反射板の側壁との離隔距離だけさらに延長される。
【００１５】
そして、前記底壁部から延長される方向への前記第１及び第２反射板の側壁長は、前記第１反射板の側壁と前記第２反射板の側壁との離隔距離よりも長い。また、前記底壁部から延長される方向への前記第１及び第２反射板の側壁長はλ／４である。あるいは、前記底壁部から延長される方向への前記第１及び第２反射板の側壁長は（λ／４±λ／８）である。
【００１６】
前記反射板の側壁は、放射状に傾斜して延長されることが好ましい。
【００１７】
また、前記反射板の側壁は、前記底壁部に対して鋭角に傾斜して延長されることが好ましい。ここで、前記鋭角は４５°にできる。
【００１８】
また、前記反射板は少なくとも二層以上に積層され、前記底壁部は多角形状であることが好ましい。例えば、前記底壁部は四角形状であり、それによって、前記側壁は、前記底壁部の各辺から同一長さをもって傾斜して延長される第１側壁部と、前記第１側壁部のうち隣接する各側壁部の間を連結する第２側壁部と、から構成される。また、前記底壁部は円形状でもよく、それによって、前記側壁は、前記底壁部の辺から同一長さをもって傾斜して延長される。
【００１９】
また、前記反射板は、伝導体（電気導体）で形成されることが好ましい。
【００２０】
上記の目的を達成するための本発明に係るアンテナアセンブリーの第２の特徴は、電波を輻射または吸収する電波輻射機と、該電波輻射機の電波放射方向に対して後方に位置したハウジングの一側面に付着される底壁部及び該底壁部の辺に沿って前記電波輻射機の電波放射方向に対して傾斜して延長される第１側壁及び該第１側壁と並んで前記底壁部から傾斜して延長される第２側壁とからなる反射板を含むリフレクターと、から構成されることにある。
【００２１】
上記の目的を達成するための本発明に係るアンテナアセンブリーの第３の特徴は、電波を輻射または吸収する電波輻射機と、該電波輻射機の電波放射方向に対して後方に位置するとともに、電気的に接地されたハウジングの一側面に底壁部が付着される凹状の反射板を含むリフレクターと、から構成されることにある。
【発明の効果】
【００２２】
本発明に係るアンテナアセンブリーを通信サービス用中継器として用いる場合、アンテナから発生する散乱波による前後方比または前側方比特性の輻射パターンを極小化させる。それによって、受信アンテナと送信アンテナとの分離度を充分に確保することで、各アンテナ間の信号干渉を最小化させることができる。
【００２３】
結局、本発明に係るアンテナアセンブリーが移動通信に適用されるとき、相互間の信号干渉から一層自由になり、各アンテナ、特に中継器の設置が容易になる。
【発明を実施するための最良の形態】
【００２４】
以下、本発明に係るアンテナアセンブリーに関する好適な実施例を、添付の図面に基づいて説明する。
【００２５】
本発明の他の目的、特徴及び利点は、添付の図面を参照した各実施例の詳細な説明を通して明らかになるだろう。
【００２６】
以下、添付の図面に基づいて、本発明に係る実施例の構成及びその作用を説明する。図面に示され、この図面によって説明される本発明の構成及び作用は、少なくとも一つの実施例として説明されるものであり、これによって本発明の技術的思想、その核心的構成及び作用が制限されることはない。
【００２７】
本発明は、通信サービス用中継器などに用いられる各アンテナで相互間の信号干渉となるローブを最小化させ、特に、前後方比（ＦＴＢＲ）特性を有する輻射パターンであるバックローブを最小化させるためのアンテナアセンブリーに関するものである。
【００２８】
本発明において、ローブ、特にバックローブを最小化させるために、図２〜図５に示した構造の反射板を有するリフレクターを用いる。本発明に係る反射板は、下記の特徴を有する。
【００２９】
１．前記反射板は、接地されたハウジングの一側面に全面にかけて付着される底壁部と、前記底壁部の各辺から電波放射方向に対して傾斜して延長される側壁部と、それら各側壁部の間を連結する連結用壁部とから構成される。一例として、前記ハウジングは、移動通信中継器の本体を取り囲む外箱であって、前記電波放射方向の後方に位置する。
【００３０】
２．前記底壁部はその全面に亘って、前記ハウジングの一側面に付着される。
【００３１】
３．前記反射板が図３Ｂのように構成されるときの第１反射板と第２反射板との離隔距離、または、前記反射板が図３Ｃのように構成されるときの一つの底壁部に対する第１側壁部と第２側壁部との離隔距離Ｇは、前記底壁部から延長される方向への前記反射板側壁の長さＬより短い。一例として、二つの側壁間の離隔距離Ｇはλ／４未満である。
【００３２】
４．前記底壁部から延長される方向への前記反射板側壁は、同一の長さであり、その長さＬは、二つの側壁間の離隔距離Ｇより大きい。一例として、反射板の側壁長Ｌはλ／４である。また、一例として、反射板の側壁長Ｌは（λ／４±λ／８）である。
【００３３】
以下、本発明に係るアンテナアセンブリーをさらに詳細に説明する。
【００３４】
図２Ａ及び図２Ｂは、本発明に係る通信サービス用中継器の構成を示した側面図であり、本発明のアンテナアセンブリーが適用された例を示したものである。
【００３５】
図２Ａ及び図２Ｂにおいて、アンテナアセンブリーは、アンテナ回路部を備える。ここで、アンテナ回路部は、移動通信用中継器の本体であることが好ましく、そのアンテナ回路部は、接地されたハウジング１０によって保護される。結局、本発明に係るアンテナアセンブリーの主要構成は、接地されたハウジング１０と、該ハウジング１０によって保護されるアンテナ回路部と回路的に連結された電波輻射機２０と、ハウジング１０の一側面に付着される凹状の反射板３０を有するリフレクターとを含む。
【００３６】
電波輻射機２０は、所定の電波を輻射し、または吸収する。
【００３７】
ハウジング１０は、電波輻射機２０の電波放射方向に対して後方に位置する。また、反射板３０は、電波輻射機２０の電波放射方向に対して後方に位置するとともに、ハウジング１０と電波輻射機２０との間に装着される。
【００３８】
本発明の核心である反射板３０は、ハウジング１０の一側面（電波輻射機２０が装着される面）に全面が付着される底壁部と、その底壁部の辺に沿って電波輻射機２０の電波放射方向に対して傾斜して延長される側壁とを備える。また、この側壁は、底壁部の辺から一定の長さをもって傾斜して延長される少なくとも一つの側壁部と、傾斜して延長される各側壁部の間を連結する他の側壁部とから構成される。
【００３９】
一方、本発明のアンテナアセンブリーは、図２Ａ及び図２Ｂ並びに図３Ａ及び図３Ｂに示すように、上述した底壁部及び側壁部によって構成された反射板が二層以上に積層された構造である。これは、反射板の製造上の便宜を図った構造である。
【００４０】
しかしながら、本発明のアンテナアセンブリーは、図３Ｃに示すように、上述した底壁部と、この一つの底壁部に形成された少なくとも一つの側壁とから構成された反射板の構造も考慮する。
【００４１】
まず、底壁部及び側壁によって構成された反射板が二層以上に積層された構造の実施例を説明する。
【００４２】
図３Ａは、本発明に係る通信サービス用中継器の縦断面図であり、図３Ｂは、本発明の一実施例に係る図３ＡのＡ部を拡大した図である。図３Ａ及び図３Ｂは、二層、すなわち、二つの反射板が積層された例のリフレクターを示しているが、本発明は、このように二つの反射板が積層された構造のみに限定されない。
【００４３】
図３Ａにおいて、ハウジング１０は電気的に接地される。二つの反射板３２，３３のうち下側に形成される第２反射板３３の底壁部３１ａがハウジング１０に全面にかけて付着される。すなわち、各反射板３２，３３のうち下側に形成される反射板３３の底壁部３１ａがハウジング１０の一側面１１に付着され、特に、第２反射板３３の底壁部３１ａがハウジング１０の一側面（電波輻射機が装着される面）１１の上部に付着される。
【００４４】
第１反射板３２は、第２反射板３３上に位置するもので、第１反射板３２の底壁部３１ｂが第２反射板３３の底壁部３１ａに付着される。より詳細には、第１反射板３２の底壁部３１ｂの下面が第２反射板３３の底壁部３１ａの上面に付着される。
【００４５】
前記第１反射板３２と第２反射板３３の底壁部３１ａ，３１ｂの中央にはホール（孔部）が形成される。このホールの中央には、電波輻射機２０が設けられ、ハウジング１０の一側面１１に取り付けられている。
【００４６】
そして、電波輻射機２０は、このホールの外郭辺から所定距離だけ半径方向に離隔して形成される。
【００４７】
一方、積層される第１反射板３２の側壁３２ａと第２反射板３３の側壁３３ａは、所定距離だけ離隔して形成される。より詳細には、第１反射板３２の側壁３２ａと第２反射板３３の側壁３３ａとの間の離隔距離Ｇは、任意の前記反射板３２または３３の底壁部３１ａまたは３１ｂから延長される方向への側壁長Ｌより短い。
【００４８】
第１反射板３２の側壁３２ａと第２反射板３３の側壁３３ａの間の離隔距離Ｇは、λ／４未満であることが好ましい。
【００４９】
そのため、第１反射板３２の底壁部３１ｂと第２反射板３３の底壁部３１ａのうち下側に形成される第２反射板３３の底壁部３１ａは、上側に形成される第１反射板３２の底壁部３１ｂの辺から、上述した各側壁間の離隔距離Ｇに対応する距離だけさらに延長して形成される。
【００５０】
そして、反射板３２または３３の底壁部３１ａまたは３１ｂから延長される方向への側壁長Ｌは、第１反射板３２の側壁３２ａと第２反射板３３の側壁３３ａとの間の離隔距離Ｇよりも長い。本発明の一実施例では、反射板３２の底壁部３１ｂまたは反射板３３の底壁部３１ａから延長される方向への側壁長Ｌは、λ／４であることが好ましい。本発明の他の実施例では、反射板３２の底壁部３１ｂまたは反射板３３の底壁部３１ａから延長される方向への側壁長Ｌは、（λ／４±λ／８）であることが好ましい。
【００５１】
要約すると、上述した各反射板３２，３３は、それらの各側壁３２ａ，３３ａが放射状に傾斜して延長形成される。特に、各反射板３２，３３の側壁３２ａ，３３ａは、それらの底壁部３１ｂ，３１ａに対して鋭角αをもって傾斜して延長形成される。この鋭角αは、４５°であることが好ましい。
【００５２】
一方、本発明に係る各反射板３２，３３の底壁部３１ａ，３１ｂは多角形状である。したがって、本発明に係る反射板３２，３３の各側壁３２ａ，３３ａは、多角形状をした底壁部の各辺から電波輻射機の電波放射方向に対して傾斜して延長される構造で形成される。本発明に係る各反射板３２，３３の底壁部３１ａ，３１ｂは、図４に示すように四角形状でもよい。また、本発明に係る各反射板３２，３３の底壁部３１ａ，３１ｂは、図５に示すように円形状でもよい。
【００５３】
本発明に係る各反射板３２，３３のうちの一つを対象にして説明すると、第１反射板３２の底壁部３１ｂが四角形状とされる場合に、その第１反射板３２の側壁３２ａは、図４に示すように、第１反射板３２の底壁部３１ｂの各辺から同一長さをもって傾斜して延長される第１側壁部と、これら第１側壁部のうち隣接する二つの第１側壁部の間を連結する第２側壁部とから構成される。
【００５４】
一方、第１反射板３２の底壁部３１ｂが円形状である場合は、図５に示すように、第１反射板３２の円形状をした底壁部３１ｂの辺（円周）から傾斜して延長される一つの側壁部が形成される。
【００５５】
整理すると、上述した各反射板３２，３３の各側壁３２ａ，３３ａは、底壁部３１ｂまたは３１ａの形状と無関係に、底壁部の辺から同一長さをもって傾斜して延長形成される。したがって、第１反射板３２の側壁３２ａの長さと第２反射板の側壁３３ａの長さは同一である。
【００５６】
そして、上述した各反射板３２，３３は、電気伝導体で形成される。
【００５７】
図３Ｃは、本発明の他の実施例に係る図３ＡのＡ部を拡大した図であり、以下では、上述した底壁部と、当該一つの底壁部に形成された少なくとも一つの側壁とから構成された反射板の構造について詳細に説明する。
【００５８】
図３Ｃにおいて、ハウジング１０は、電気的に接地される。反射板３０の底壁部３１がハウジング１０に全面にかけて付着される。
【００５９】
すなわち、反射板３０の底壁部３１がハウジング１０の一側面１１に付着され、特に、反射板３０の底壁部３１の下面がハウジング１０の一側面（電波輻射機が装着される面）１１の上に付着される。そして、反射板３０は、底壁部３１の辺に沿って電波輻射機２０の電波放射方向に対して傾斜して延長される各側壁を有する。図示の例では、各側壁が、第１側壁部と、該第１側壁部と平行に底壁部３１から傾斜して延長される他の第２側壁部と、から構成される。
【００６０】
前記反射板３０の底壁部３１の中央にはホールが形成される。このホールの中央には電波輻射機２０が設けられ、ハウジング１０の一側面１１に取り付けられている。そして、電波輻射機２０は、このホールの外郭辺から所定距離だけ半径方向に離隔して形成される。
【００６１】
一方、反射板３０の第１側壁と第２側壁は、所定距離だけ離隔して形成される。より詳細には、反射板３０の第１側壁と第２側壁との間の離隔距離Ｇは、任意の前記反射板３０の底壁部３１から延長される方向への側壁長Ｌより短い。反射板３０の各側壁間の離隔距離Ｇは、λ／４未満であることが好ましい。
【００６２】
そして、反射板３０の底壁部３１から延長される方向への側壁長Ｌは、反射板３０の第１側壁と第２側壁との間の離隔距離Ｇよりも長い。本発明の一実施例において、反射板３０の底壁部３１から延長される方向への側壁長Ｌは、λ／４であることが好ましい。本発明の他の実施例では、反射板３０の底壁部３１から延長される方向への側壁長Ｌは、（λ／４±λ／８）であることが好ましい。
【００６３】
要約すると、上述した反射板３０は、それらの側壁が放射状に傾斜して延長形成される。特に、反射板３０の各側壁は、反射板３０の底壁部３１に対して鋭角αに傾斜して延長形成されるが、この鋭角αは４５°であることが好ましい。
【００６４】
一方、本発明に係る図３Ｃの反射板３０の底壁部３１も多角形状である。そして、本発明に係る図３Ｃの反射板３０における外側の側壁は、多角形状をした底壁部の各辺から電波輻射機の電波放射方向に対して傾斜して延長される構造で形成され、また内側の側壁は、前記外側の側壁と平行に底壁部３１から傾斜して延長される構造で形成される。
【００６５】
本発明に係る反射板３０の底壁部３１は、図４に示すように四角形状とすることができ、あるいはまた、図５に示すように円形状にもできる。
【００６６】
本発明に係る図３Ｃに示した反射板３０の底壁部３１が、図４に示すように四角形状をなす場合に、反射板３０における任意の一つの側壁は、反射板３０の底壁部３１の各辺または底壁部３１の上側面から同一長さをもって傾斜して延長される第１側壁部と、それら第１側壁部のうち隣接する二つの第１側壁部の間を連結する第２側壁部とから構成される。
【００６７】
一方、反射板３０の底壁部３１が図５に示すように円形状である場合は、円形状をした底壁部３１の辺（円周）または底壁部３１の上側面から傾斜して延長される一つの側壁が形成される。
【００６８】
整理すると、上述した反射板３０の側壁は、底壁部３１の形状と無関係に、底壁部の辺またはその底壁部の上側面から同一長さをもって傾斜して延長形成される。したがって、反射板３０の第１側壁長と第２側壁長は同一である。
【００６９】
以上説明した内容を通して、当業者であれば、本発明の技術思想を逸脱しない範囲で多様に変更及び修正可能であることを理解できるだろう。
【００７０】
したがって、本発明の技術的範囲は、明細書の詳細な説明に記載された内容に限定されるものでなく、特許請求の範囲によって定められるべきである。
【図面の簡単な説明】
【００７１】
【図１】アンテナから発生する散乱波による輻射パターンを示した図である。
【図２Ａ】本発明に係る通信サービス用中継器の構成を示した側面図である。
【図２Ｂ】本発明に係る通信サービス用中継器の構成を示した斜視図である。
【図３Ａ】本発明に係る通信サービス用中継器の縦断面図である。
【図３Ｂ】本発明の一実施例に係る図３ＡのＡ部を拡大した図である。
【図３Ｃ】本発明の他の実施例に係る図３ＡのＡ部を拡大した図である。
【図４】本発明の第１実施例に係るアンテナアセンブリーの反射板構造を示した図である。
【図５】本発明の第２実施例に係るアンテナアセンブリーの反射板構造を示した図である。
【符号の説明】
【００７２】
１０  ハウジング
２０  電波輻射機
３０  反射板
【図１】
2008529400.tif 000003
【図２Ａ】
2008529400.tif 000004
【図２Ｂ】
2008529400.tif 000005
【図３Ａ】
2008529400.tif 000006
【図３Ｂ】
2008529400.tif 000007
【図３Ｃ】
2008529400.tif 000008
【図４】
2008529400.tif 000009
【図５】
2008529400.tif 000010
【国際調査報告】
2008529400.tif 000011
2008529400.tif 000012
2008529400.tif 000013